Podtech/llm-jp-corpus-v4-ja_patent huggingface dataset:
(57)【要約】【課題】  本発明は、車両用信号機に固定型監視ビデオカメラを設置し、道路における危険防止と交通の安全並びに円滑な交通流を確保する。【解決方法】  道路の交差点には、交通信号機の基本となる系統を制御するための制御器があり、信号機の一部に固定した監視ビデオカメラを設置して、信号表示に従わず進入する車両を監視するデーターをカード化して、現在の制御器に取り込む機能を持たせ、交通違反の取り締まり並びに信号表示に従う運転者認識の向上を図って、交差点に基因する交通事故等を防止するものである。【選択図】図２
2018093458.tif 000002
【特許請求の範囲】
【請求項１】
交通信号機の表示のうち、特に黄色・黄色点滅時において信号に従わない違反車両を監視するため、信号機灯火部に固定型監視ビデオカメラを設置する。この目的が達成可能となれば設置位置に拘るものではない。
【請求項２】
撮影された映像データーは、カードに記録して地上に設置されている制御器で管理し、随時確認を行い違反車両としての対応を行うと共に、交通管理センターとの連携を図ることも可能である。
【発明の詳細な説明】
【技術分野】
【０００１】  本発明は、道路における、交通信号機表示の原則に従わない車両を解消するため、信号機と連動した固定型監視ビデオカメラを用いた信号機に関するものである。
【背景技術】
【０００２】  車両用交通信号機の灯器表示は、図４に示すように原則として青色、黄色、赤色から青色と変わり、この一巡する時間によって、交通事故の防止と円滑な交通流が確保され、交通に起因する障害が排除されている。【０００３】  本発明の背景とした点は、主として信号表示が黄色・黄色点滅時の対応の仕方について取り上げ、信号表示の認識不測の解消を図るとともに、運転者に対して信号表示に従がう手法が必要となっている。
【先行技術文献】
【特許文献】
【０００４】
【特許文献１】特開平１１−２６１９９０  公報
【非特許文献】
【０００５】
【非特許文献１】海洋総合開発  （株）  レーザーカタログ
【０００６】
【非特許文献２】ウイキペディア  フリー百科辞典  カココーダ等
【発明の概要】
【発明が解決しようとする課題】
【０００７】  今回、課題としている点は、図１に示す一般的な交通信号機である定周期式において、黄色・黄色点滅時の信号に従わない車両である。信号表示には、青色は進む、黄色は車両に対しては止まれ、赤色は止まれである。さらに黄色点滅時は注意して進みであり、赤色点滅は一時停止し進むである。黄色・黄色点滅は早く進めではなく、黄色点滅は安全に停車できない時のみ注意して進むと言う意味である。この原則から交差点を通過している車両を見ると黄色・黄色点滅以外の信号は比較的守られている。信号表示に対して、法的には信号に従う義務を負うことになっているが、運転者の行動心理としては、交差点を早く通過したい行動から、通常走行を上回る車速で通過している車両が多くみられ、交通信号機の持つ交通事故の防止と円滑な交通流を確保する意味から逸脱する違反行動となっている。従ってこれらの行動に対しては強い法的拘束力を持って対処する必要がある。
【発明が解決するための手段】
【０００８】  本発明は、交差点における交通信号灯の持つ機能には交通情報の感知、車両・歩行者用信号の制御、押しボタンを制御する装置が取り込まれた図２に示す制御器３があり、この制御器には前期課題とした黄色・黄色点滅時の信号表示義務に従わない車両を監視する機能はなく、この課題を解消するためには、図４に示す黄色消灯前８から赤色消灯後９までの数秒間（１〜２秒）交差点の車両停止線を基準に照射する不可視光線を用いて、昼夜を問わず動画撮影できる固定型監視ビデオカメラを図１に示す個所に設ける。この数秒間通過車両が無ければ同カメラは感知せず撮影は行わない。
【０００９】  動画撮影されたデーターは、カード化され制御器に取り込み、随時確認を行い、記録された映像に基図いて、信号表示義務違反車輌の判断資料として実用化し、記録された映像には、年月日・時間等を記す機能を持った固定型監視ビデオカメラを設置する。
【発明の効果】
【００１０】  前述の手段を実現することによって、交通信号機の機能の向上を図り近年における固定型ビデオカメラの性能は向上し、高感度・赤外線・レーザカメラなど各種のカメラがあり、これらのカメラの特徴と設置条件を考慮して活用し、交通違反の取り締まり、さらには信号機の役割である交通事故の防止と円滑な交通流を確保する効果を発揮することが可能となる。
【００１１】  前述の手段を実現することによって、義務違反車の取り締まりが交通信号機によって、常時監視されている状況を運転者に認識させることで信号灯火の意味を深く理解させ、進入速度との判断を喚起させる効果を発揮させることができる。
【図面の簡単な説明】
【００１２】
【図１】  信号灯器の構成図
【図２】  一般的な交差点構成図
【図３】  固定型監視ビデオカメラ位置及び照射光線方向図
【図４】  交通信号機の現示例及び固定型ビデオカメラ撮影記録関連図
【図５】  制御器への収納概要図
【発明を実施するための形態】
【００１３】  本発明は、交差点の全方位を監視するものではなく、図４に示す８及び９間の信号表示義務に従わない車両を動画として撮影記録するものである。
【００１４】  通常の監視カメラの電源には電池が使用されているが、提案する固定型監視ビデオカメラには、信号機の電源を使用する。
【００１５】  ビデオ撮影を監視するポイントは、図２に示す車両が交差点へ進入する方向の停止線５とし、照射する光線方向は７とする。使用する光線は不可視光線の赤外線・レーザー光線を用い、図４に示す８・９間を数秒（１〜２秒）を動画として撮影記録させる。
【００１６】  撮影記録はデーター化して、制御器で管理保管し随時再現して信号表示義務に従わない車両を確認することができる。
【実施例】
【００１７】  図１に示すように、車両の侵入方向に対面する信号機の一部に固定型監視ビデオカメラ６を設置し、数秒間照射光線に感知する車両のみ撮影を昼夜稼働させる。【００１８】  ここで、交差点に進入する車速から単位秒当たりの走行距離を考えると時速５０ｋｍでは１３，９ｍとなり、車速が１０ｋｍ増すごとに２，８ｍが加わり１６，７ｍとなる。従って図４に示す８・９間の秒速以内の車間距離の場合は、赤信号の止まれには従えず交差点へ進入したことになり、交差点への進入速度が増すごとにその傾向は著しくなる。
【符号の説明】
【００１９】  １    車両用信号灯器
２    歩行者用信号灯器
３    制御器
４    歩行者横断帯
５    車両停止線
６    固定型監視ビデオカメラ
７    固定型監視ビデオカメラの照射光線
８    黄色信号消灯前
９    赤色信号投下前
１０    定周期時間での繰り返し表示
１１    車両情報感知の制御
１２    車両・歩行者用灯器の制御
１３    押しボタン灯器の制御
１４    取り込むビデオ撮影カード
【図１】
2018093458.tif 000003
【図２】
2018093458.tif 000004
【図３】
2018093458.tif 000005
【図４】
2018093458.tif 000006
【図５】
2018093458.tif 000007
(57)【要約】【課題】本発明は、赤ん坊やペットのカメラ目線を、携帯電話に注目させることが出来るため、写真撮影の手軽さを提供する。【解決手段】携帯電話を挟む挟持具（１）と、玩具やおやつを挟む挟持具（２）を、自由に曲がる連結具（３）で、繋いである事を特徴とするカメラ目線キャッチャー。【選択図】図１
2018055077.tif 000002
【特許請求の範囲】
【請求項１】
携帯電話を挟む挟持具（１）と、玩具やおやつを挟む挟持具（２）を、自由に曲がる連結具（３）で、繋いである事を特徴とするカメラ目線キャッチャー。
【発明の詳細な説明】
【技術分野】
【０００１】本発明は、赤ん坊やペットを携帯電話での、写真撮影に関するものである。
【背景技術】
【０００２】従来、片手に玩具やおやつを持ち、もう一方の手で携帯電話のシャッターを操作していた。
【発明の概要】
【発明が解決しようとする課題】
【０００３】そのため、次のような問題点があった。
（イ）片手で携帯電話を操作するため、携帯電話を落下させてしまう。
（ロ）片手で携帯電話を操作するため、手ぶれでピントがあわない。
（ハ）片手で携帯電話を操作するため、自分の手が、写真に写り込んでしまう。
【課題を解決するための手段】
【０００４】携帯電話を挟む挟持具（１）と、玩具やおやつを挟む挟持具（２）を、自由に曲がる連結具（３）で、繋いだ。
以上を特徴とする、カメラ目線キャッチャーである。
【発明の効果】
【０００５】赤ん坊やペットを携帯電話で撮影する時は、片手に玩具やおやつを持ち、もう一方の手で携帯電話のシャッターを操作していた為、女性など手が小さいために、携帯電話を落下させてしまったり、自分の手が、写真に写り込んでしまったり、手ぶれでピントがあわないなど、撮りたい写真が中々撮れずに苦労していたが、この、カメラ目線キャッチャーを使用することにより、携帯電話を両手で操作することができるため、携帯電話を落下させてしまう、手ぶれでピントがあわない、自分の手が、写真に写り込んでしまう等の問題が解決され、先端部に玩具やおやつを挟むことにより、大好きな赤ん坊やペットのカメラ目線をゲットできるので、写真を携帯電話で簡単に撮影することができる。
【図面の簡単な説明】
【０００６】
【図１】本発明の全体図である。
【発明を実施するための形態】
【０００７】以下、本発明の実施の形態について説明する。
携帯電話を挟む挟持具（１）と、玩具やおやつを挟む挟持具（２）を、自由に曲がる連結具（３）で、繋いだ。
本発明は以上のような構成である。
連結具（３）は、１０ｃｍ位が、最適である。
挟持具（２）部分は、ひっかけ金具等に交換できると、望ましい。
これを使用するときは、挟持具（１）を携帯電話に挟み、挟持具（２）の所に玩具やおやつを挟み使用する。
【符号の説明】
【０００８】１挟持具（１）
２挟持具（２）
３連結具（３）
【図１】
2018055077.tif 000003
(57)【要約】      （修正有）【課題】組織情報を変更する場合にも、対象者に紐づく機器を顕在化することができる資産管理方法及び装置を提供する。【解決手段】端末の画面上に仮想のオフィスとして再現して管理することで、使用者の情報が変更された際に同時に変更しなければならない機器を表示する。【選択図】図４
2018055302.tif 000002
【特許請求の範囲】
【請求項１】
端末上の仮想オフィスを用いた資産管理方法であって、
機器管理情報を変更する使用者を選択するステップと、
使用者に付随する機器と部署を特定するステップと、
端末上に仮想オフィスとしての移動先オフィスを表示するステップと、
前記移動先オフィスの領域に前記使用者のアイコンをドラッグするステップと、
前記移動先オフィスに関連する機器を表示するステップと、
を備えることを特徴とする資産管理方法。
【請求項２】
請求項１に記載の資産管理方法において、
予め前記使用者と、当該使用者が利用する機器との関係を設定しておくことを特徴とする資産管理方法。
【請求項３】
請求項２に記載の資産管理方法において、
前記仮想オフィスは、現在のオフィスと、部署コードが異なることを特徴とする資産管理方法。
【請求項４】
端末上の仮想オフィスを用いた資産管理装置であって、
機器管理情報を変更する使用者を選択し、  使用者に付随する機器と部署を特定し、  端末上に仮想オフィスとしての移動先オフィスを表示させ、前記移動先オフィスの領域に前記使用者のアイコンがドラッグされると前記移動先オフィスに関連する機器を特定する処理部と、
前記特定された前記移動先オフィスに関連する機器を表示する表示部と、
を備えることを特徴とする資産管理装置。
【発明の詳細な説明】
【技術分野】
【０００１】
本発明は、オフィス機器等の資産管理に関する。
【背景技術】
【０００２】
本技術分野の背景技術として、特許文献１がある。この公報には、「ユーザごとの固定資産の管理の対象となる一群の製品と、これらの製品のそれぞれに取り付けられ、それぞれの製品を特定する識別情報のそれぞれに取り付けられ、それぞれの製品を特定する識別情報を書き込んだ識別情報格納手」といった記載がある。すなわち、個人のPCや携帯電話などの機器の資産管理を行う際に、それぞれの機器を資産管理番号で個別に管理している。
【先行技術文献】
【特許文献】
【０００３】
【特許文献１】特開2005-78169号公報
【発明の概要】
【発明が解決しようとする課題】
【０００４】
従来技術では、使用者の異動で組織情報を変更する場合には、その使用者に紐づく全ての機器に対して変更申請を行わなければならず、まずは使用者に紐づいている機器は何があるかを調べなければならない。
【課題を解決するための手段】
【０００５】
上記課題を解決するために、例えば端末の画面上に、仮想のオフィスとして再現して管理することで使用者の情報が変更された際に同時に変更しなければならない機器を表示する。
【発明の効果】
【０００６】
本発明により組織情報を変更する場合にも、対象者に紐づく機器を顕在化することができる。
【図面の簡単な説明】
【０００７】
【図１】画面上操作処理フローを説明する図。
【図２】部署情報データベースを説明する図。
【図３】本実施例で仕様する各種データを説明する図
【図４】操作概要を説明する図
【図５】ハードウエア構成図
【発明を実施するための形態】
【０００８】
以下本発明の一実施形態について図面を用いて説明する。
【実施例１】
【０００９】
まず本実施形態では、使用者に紐付けられた機器を画面上の操作によって機器情報を変更すること対象としている。
【００１０】
図5に、画面上からの機器情報変更を行うシステムの構成図を示す。本システムは端末装置1がネットワーク3を介して資産管理システムと接続されている。また資産管理システムはサーバ2、部署情報データベース4、使用者データベース5、機器情報データベース6、機器案内データベース7が格納されている。また、サーバ2からは機器管理手段8と機器情報表示手段9を提供する。
【００１１】
以下、上記システムを使った資産管理情報表示の処理フローをフローチャートに説明する。
【００１２】
図1のフローチャートを用いて、全体の処理内容を説明する。前提として既に端末装置1の画面上には機器情報表示手段9によって仮想オフィスを選択する前提画面が表示されていることとする。
【００１３】
S01において、画面上の操作にて機器情報を変更する使用者を選択する。同時に選択された使用者の情報が使用者データベース5から検索される。
【００１４】
S02において、検索された使用者データベース5の処理状況区分が「処理中」である場合、S09に進む。変更状態区分が「処理中」ではない場合S3に進む。
【００１５】
S03において、使用者に付随する機器を特定するため、機器情報データベース6から当該使用者の使用者コードを検索条件として機器を特定する。特定した機器と使用者データベース5に登録されている部署コードをもとに端末装置1の画面上に仮想オフィスを現オフィスとして表示する。
【００１６】
S04において、使用者が移動する先のオフィスの選択を受け付ける。
【００１７】
S05において、移動先として受け付けたオフィスを端末装置1画面上の現オフィスの隣に移動先オフィスとして表示する。
【００１８】
S06において、端末装置1画面上の使用者アイコンを現オフィスから移動先オフィスへドラッグする。ドラッグされると機器情報表示手段9によって使用者データベース5の変更後部署コードへ移動先オフィスとして表示されている部署コードを登録する。画面上の画像イメージは図4のとおり．
S07において、端末装置1画面上ではそれぞれの機器ごとにアイコンが表示される。アイコンを選択すると、選択した機器の機器情報データベース6に登録された機器区分をもとに機器案内データベース7を参照し、機器変更手段情報に登録されている変更申請に必要な然るべき情報を画面上に表示する。画面上の画像イメージは図4のとおり．
S08において端末装置1画面上に「処理中」を表示する。使用者データベース5の処理状態区分が「処理中」に更新される。機器情報データベース6の機器それぞれの状態区分も「処理中」に更新される。
【００１９】
S09において端末装置1画面上にS06まで処理が完了している状態で表示される。
［処理条件］
使用者データベース5の処理状態区分が「処理中」である使用者は、その使用者の使用者コードが同一の機器情報データベース6上の機器の状態区分が「処理中」でなくなるまで「処理中」とする。更に、機器管理手段8によって状態区分を含めた機器情報データベース6の機器ごとの改廃を行うこととする。かつ、使用者データベース5の部署コードおよび変更後部署コードも機器管理手段8によって改廃を行うこととする。
【符号の説明】
【００２０】
１：端末装置、２：サーバ、３：ネットワーク、４：部署情報データベース、５：使用者データベース、６：機器情報データベース、７：機器案内データベース、８：機器管理手段、９：機器情報表示手段
【図１】
2018055302.tif 000003
【図２】
2018055302.tif 000004
【図３】
2018055302.tif 000005
【図４】
2018055302.tif 000006
【図５】
2018055302.tif 000007
(57)【要約】【課題】組織内で分離されたネットワークにアクセスする従来の方式は、反応速度が遅く、ネットワークに負荷がかかり、高価であるという課題があった。【解決手段】一方のネットワーク内に設置された端末内に仮想ＰＣを設置し、その仮想ＰＣ内に設置したＶＰＮクライアントと、もう一方のネットワークに設置されたＶＰＮサーバとが通信する構成にすることにより、反応速度を向上させ、ネットワークの負荷を下げ、安価になる。【選択図】図１
2018055658.tif 000002
【特許請求の範囲】
【請求項１】
組織内で、アクセス制御装置によって２つのネットワーク間のアクセスを制限しているネットワークにおいて、一方のネットワークに設置された端末内に仮想ＰＣを設置し、仮想ＰＣが利用できる通信をＶＰＮ通信等に制限した上で、当該仮想ＰＣ内にＶＰＮクライアントを設置し、当該ＶＰＮクライアントと、もう一方のネットワークに設置されたＶＰＮサーバとを通信させる装置。
【発明の詳細な説明】
【技術分野】
【０００１】  この発明は、端末内に設置された仮想ＰＣを用いて、組織内の分離されたコンピュータネットワークにアクセスする装置に関するものである。
【背景技術】
【０００２】  組織内で分離されたコンピュータネットワークにアクセスする従来の方式は、図２に示すように、ネットワーク２内に設置された仮想ＰＣに、ネットワーク１内に設置された端末内で動作する遠隔操作クライアントがアクセス制御装置を経由してアクセスし、仮想ＰＣの画面イメージ、及び、端末で行われた操作のみを相互に転送するものである。
【発明の概要】
【発明が解決しようとする課題】
【０００３】  しかしながら、以上の技術によれば、端末で行われた操作がネットワーク２内に設置された仮想ＰＣに送付され、そして操作後の画面が転送され戻ってくるという仕組みであることから、操作に対する反応速度が遅いという課題がある。【０００４】  加えて、操作後の画面を転送するためのデータ転送は、ネットワークに負荷をかけるという課題もある。【０００５】  また、仮想ＰＣを動作させるための仮想ＰＣサーバが必要であり、このサーバを構築するための費用が高価であるという課題もある。
【課題を解決するための手段】
【０００６】  本発明は、端末内に仮想ＰＣを設置し、組織内の異なるネットワーク内に設置された仮想プライベートネットワーク（ＶＰＮ）サーバと通信することによって、分離されたネットワークへの限定されたアクセスを可能とするネットワークアクセス装置である。
【発明の効果】
【０００７】  本発明では、端末の操作は、端末内で動作する仮想ＰＣに直接伝えられるため、操作への反応が非常に速い。【０００８】  また、端末の操作及び仮想ＰＣの画面はネットワークを経由することが無いので、ネットワークへの負荷も発生しない。【０００９】  更に、端末が設置されていないもう一方のネットワークには、安価なＶＰＮサーバを設置するだけでよく、要する費用が少ない。
【図面の簡単な説明】
【００１０】
【図１】この発明の一実施形態を示す構成図である。
【図２】従来技術を示す構成図である。
【発明を実施するための形態】
【００１１】  この発明の一実施形態を、図１に示す。
【００１２】  組織内のネットワーク１とネットワーク２を、アクセス制御装置によって分離し、特定の通信しかアクセス制御装置を通過できないように設定する。
【００１３】  ネットワーク１内に設置された端末の内部に、仮想ＰＣを設置する。更に、仮想ＰＣの内部に、ＶＰＮクライアントを設置する。
【００１４】  仮想ＰＣは、ＶＰＮサーバへの通信を含む、特定の通信のみ行えるように設定を変更する。
【００１５】  ネットワーク２内に、仮想ＰＣ内に設置されたＶＰＮクライアントと通信を行うためのＶＰＮサーバを設置する。
【００１６】  ネットワーク１内に設置された端末からネットワーク２へのアクセスは、仮想ＰＣ内のＶＰＮクライアントを作動させ、ネットワーク２内に設置されたＶＰＮサーバに接続することによって行う。
【００１７】  この実施形態によれば、ネットワーク２にアクセスする仮想ＰＣと、仮想ＰＣが動作する端末との間のアクセスは制限されているため、端末の内部にて、ネットワーク１の情報とネットワーク２の情報の分離が実現される。このとき、端末の操作は直接仮想ＰＣに伝えられるため、反応速度が速く、ネットワークへの負荷がかからない。また、ネットワーク２内に設置されるＶＰＮサーバは低価格である。
【産業上の利用可能性】
【００１８】  コンピュータウイルス感染等のリスクを低減するため、組織内部のネットワークをネットワーク１とし、インターネットをネットワーク２として、安全にインターネットを利用する仕組みとして利用可能である。【００１９】  また、通常利用のネットワークをネットワーク１とし、組織内で重要な情報を取り扱う業務システムが設置されたネットワークをネットワーク２として、業務システムからの情報漏えいを防止するための仕組みとしても利用可能である。
【符号の説明】
【００２０】１  ネットワーク１
１１  ネットワーク１内に設置された端末
１２  端末内に設置された仮想ＰＣ
１３  仮想ＰＣ内で動作し、ＶＰＮサーバと通信するＶＰＮクライアント
２  ネットワーク２
２２  仮想ＰＣ内のＶＰＮクライアントと通信するＶＰＮサーバ
３  ネットワーク１とネットワーク２の間の通信を制限するアクセス制御装置
【図１】
2018055658.tif 000003
【図２】
2018055658.tif 000004
(57)【要約】      （修正有）【課題】二輪自動車、特にオートバイの前後方向間隔調整システムを制御するための方法を提供する。【解決手段】運転者の他に別の座者若しくは同乗者が自動車上に存在しているかどうかを算出し、別の座者の存在に応じて前記前後方向間隔調整システムを制御する。別の座者が存在する場合、同じ走行状況で別の座者が存在しない場合におけるよりも大きい、先行車両に対する間隔を調節する。別の座者が存在する場合、同じ走行状況で別の座者が存在しない場合におけるよりも低い車両加速度を調節する。別の座者が存在する場合、同じ走行状況で別の座者が存在しない場合におけるよりも低い車両減速度を調節する。【選択図】図１
2018154321.tif 000002
【特許請求の範囲】
【請求項１】
二輪自動車の前後方向間隔調整システムを制御するための方法であって、
運転者の他に別の座者が自動車上に存在しているかどうかを算出し（１０１）、
別の座者の存在に応じて前記前後方向間隔調整システムを制御する（１０３，１０４）、
二輪自動車の前後方向間隔調整システムを制御するための方法。
【請求項２】
別の座者が存在する場合、前記前後方向間隔調整システムによって、同じ走行状況で別の座者が存在しない場合におけるよりも大きい、先行車両に対する間隔を調節することを特徴とする、請求項１記載の方法。
【請求項３】
別の座者が存在する場合、前記前後方向間隔調整システムによって、同じ走行状況で別の座者が存在しない場合におけるよりも低い車両加速度を調節することを特徴とする、請求項１記載の方法。
【請求項４】
別の座者が存在する場合、前記前後方向間隔調整システムによって、同じ走行状況で別の座者が存在しない場合におけるよりも低い車両減速度を調節することを特徴とする、請求項１記載の方法。
【請求項５】
運転者が操作部材によって、別の座者の存在を知らせることを特徴とする、請求項１記載の方法。
【請求項６】
別の座者の存在を、着席検知システムによって検知することを特徴とする、請求項１記載の方法。
【請求項７】
別の座者の存在を、サスペンションシステムまたは減衰システムの圧縮ストロークセンサによって検知することを特徴とする、請求項１記載の方法。
【請求項８】
本発明による方法を実施するために構成された手段を有する装置。
【発明の詳細な説明】
【背景技術】
【０００１】
特許文献１から、車両と対象物との間の間隔を規定するための方法が公知である。この方法は、ビデオＡＣＣシステムの範囲内で例えばオートバイ車に使用されてよい。
【先行技術文献】
【特許文献】
【０００２】
【特許文献１】独国特許公告第１０２０１１０８８１３４号明細書
【発明の概要】
【０００３】
本発明は、二輪自動車、特にオートバイの前後方向間隔調整システムを制御するための方法に関し、この方法において、
運転者の他に別の座者若しくは同乗者が自動車上に存在しているかどうかが算出され、
別の座者の存在に応じて前後方向間隔調整システムが制御されるか若しくは別のパラメータで運転される。
【０００４】
前後方向間隔調整システムは、特にＡＣＣシステム（Ａｄａｐｔｉｖｅ  Ｃｒｕｉｓｅ  Ｃｏｎｔｒｏｌ：アダプティブクルーズコントロール）であってよい。オートバイ上の別の座者の存在は、オートバイのドライビングダイナミックスをより複雑にし、これにより、別の座者のコントロール不能な挙動が運転者により予測できなくなる。従って、前後方向間隔調整システムの特性を、第２の座者が存在する場合に適合させることが有意義である。
【０００５】
本発明の好適な実施態様は、別の座者が存在する場合、前後方向間隔調整システムによって、同じ走行状況で別の座者が存在しない場合におけるよりも大きい、先行車両に対する間隔が調節されることを特徴とする。
【０００６】
本発明の好適な実施態様は、別の座者が存在する場合、前後方向間隔調整システムによって、同じ走行状況で別の座者が存在しない場合におけるよりも低い車両加速度が調節されることを特徴とする。
【０００７】
本発明の好適な実施態様は、別の座者が存在する場合、前後方向間隔調整システムによって、同じ走行状況で別の座者が存在しない場合におけるよりも低い車両減速度が調節されることを特徴とする。
【０００８】
前記実施態様は、第２の座者が存在している場合にスポーツ走行性には不利になるが、走行状態の安全性は高まる。
【０００９】
本発明の好適な実施態様は、運転者が操作部材によって、別の座者の存在を知らせることを特徴とする。
【００１０】
本発明の好適な実施態様は、別の座者の存在を、着席検知システムによって検知することを特徴とする。
【００１１】
本発明の好適な実施態様は、別の座者の存在を、サスペンションシステムまたは減衰システムの圧縮ストロークセンサによって検知することを特徴とする。
【００１２】
さらに本発明は、本発明による方法を実施するために構成された手段を有する装置を含んでいる。この場合、これは特に、本発明による方法を実施するためのプログラムコードを備えたコントロールユニットである。
【図面の簡単な説明】
【００１３】
【図１】本発明による方法の基本的な流れを示す図である。
【発明を実施するための形態】
【００１４】
図面は図１を含む。
【００１５】
本発明の核心は、同乗者を乗せた二輪車走行時、つまり二輪車で後部同乗者を乗せた二輪車走行時に、ＡＣＣシステム支援において、快適性および安全性の理由により加速操作および制動操作が、同乗者のいない二輪車走行時におけるよりも明らかに慎重に選択される、という点にある。これは、同乗者の数に対応してＡＣＣシステム特性を適合させることによって行われる。後部同乗者が同乗すると直ちに、例えばＡＣＣ制御の次のような特性が適合され得る：
より穏やかな加速、
より穏やかな制動、
より穏やかな制動を可能にするための、先行車両に対する増大された間隔。
【００１６】
このシステム内のアプリケーション構成の選択は、同乗者の同乗の検出により自動的に行われる。同乗者が同乗するときに、運転者が例えばコンビインストルメント上の操作部材を用いてプリセットすることも可能である。同乗者の自動的な検出は、例えば減衰システム若しくは着席検知センサの圧縮ストローク信号を評価することによって行うことができる。
【００１７】
図１には、本発明による方法の一実施例の基本的な流れが示されている。ブロック１００の始動後に、ブロック１０１で、オートバイ上に運転者の他に同乗者が存在するかどうかが算出される。この情報は記憶され、実際の走行のために有効となる。運転者がブロック１０２でＡＣＣ運転者支援システムを作動させると、
同乗者が存在していない場合、ブロック１０３でＡＣＣの標準運転が調節され、
同乗者が存在している場合、ブロック１０４で、ＡＣＣシステムの修正された、安全性および快適性が追及された運転が調節される。
【符号の説明】
【００１８】
１０１，１０３，１０４  ブロック
【図１】
2018154321.tif 000003
【外国語明細書】
2018154321000001.pdf
(57)【要約】【課題】  これまでの歯洗浄器は、簡単に蛇口に接続できなく、接続すると動かすのが大変だった。【解決手段】  接続器と洗浄器からなる、水圧式歯洗浄器であり、取っ手を押すことでバネ付勢により、段差をつけた接続器の一部を開閉できるようにし、段差部分の外側にネジを作り、そのネジと螺合する洗浄器にチューブをつけ、そのチューブ先端に噴射ノズルを取り付けたことを特徴とする。【選択図】図１
2018047201.tif 000002
【特許請求の範囲】
【請求項１】
接続器と洗浄器からなる、水圧式歯洗浄器であり、
取っ手を押すことでバネ付勢により、段差をつけた接続器の一部を開閉できるようにし、段差部分の外側にネジを作り、そのネジと螺合する洗浄器にチューブをつけ、そのチューブ先端に噴射ノズルを取り付けたことを特徴とする。
【発明の詳細な説明】
【技術分野】
【０００１】  本発明は、歯の表面や隙間また歯茎等を水圧によって洗浄する歯洗浄器に関するものである。
【背景技術】
【０００２】  従来のものは、蛇口に固定し、また水道の栓とは別に洗浄器にも、栓を付けているので構造が複雑になり、高価で作るのも大変だった。
【発明の概要】
【発明が解決しようとする課題】
【０００３】  従来のものは、蛇口からノズルまでの間が複雑で頑丈な構造になり、高価で使い勝手も悪かった。
本発明は以上の問題点を解決するためになされたものである。
【課題を解決するための手段】
【０００４】  接続器と洗浄器からなる、水圧式歯洗浄器であり、取っ手を押すことでバネ付勢により、段差をつけた接続器の一部を開閉できるようにし、段差部分の外側にネジを作り、そのネジと螺合する洗浄器にチューブをつけ、そのチューブ先端に噴射ノズルを取り付けたことを特徴とする。
以上の構成によりなる洗浄器。
【発明の効果】
【０００５】  これまでの洗浄器は頑丈で複雑に作られているので、高価格であった。本発明は蛇口に簡単につけられ、使うのも簡単にできる。
【図面の簡単な説明】
【０００６】
【図１】  本発明の実施状態を示す側面図である。
【図２】  本発明の接続器を示す平面図である。
【図３】  本発明の接続器と洗浄器を示す側面図である。
【発明を実施するための形態】
【０００７】  以下、本発明の実施の形態について説明する。
（イ）段差のついた接続器（１）の取っ手（１０）にバネ（６）を入れ、洗浄器とつながる段差部分に雄ネジ（７）を作る。
（ロ）チューブ（３）の一端に、噴射ノズル（４）を取り付けた、洗浄器（２）の内側に、前記雄ネジ（７）と係合する雌ネジ（８）を作る。
（ハ）蛇口（５）に接続器（１）をつけ、接続器（１）に洗浄器（２）をつける。
本発明は以上のような構造である。
【０００８】  本発明を使用するときは、蛇口（５）に取っ手（１０）をつけた、接続器（１）を、挟むようにつける。チューブ（３）と噴射ノズル（４）を取り付けた洗浄器（２）を、接続器（１）につける。
【符号の説明】
【０００９】１  接続器、２  洗浄器、３  チューブ、４  噴射ノズル、５  蛇口、６  バネ、
７  雄ネジ、８  雌ネジ  ９  水道の栓、１０  取っ手
【図１】
2018047201.tif 000003
【図２】
2018047201.tif 000004
【図３】
2018047201.tif 000005
(57)【要約】【課題】ゴルフショット後にティ（ロング・ショート）が飛び散り紛失する。ロングティとショートティを繋いだ紐状のものは有るが、絡まって使用しにくい。携帯時にポケットの中に入れておくとティの先端がポケット内部に引掛り取り出しにくい。本発明は携帯に便利、ショット後に飛び散らない環境にも優しいゴルフ道具です。【解決手段】リールコードの両端先端部分をロングティとショートティの各々接続して使用時にはその両端を左右に引き、再度最後まで引くと元に戻る。リールの本体カバーにフックを取り付けベルトループに引っ掛け携帯が特徴のゴルフ道具。【選択図】図３
2018047209.tif 000002
【特許請求の範囲】
【請求項１】
リールコードの両端先端に其々ゴルフのロングティとショートティを繋いだ物で、リールコードにはベルトループに掛けるフックが装着しているゴルフ道具。
【発明の詳細な説明】
【技術の分野】
【０００１】本発明はゴルフショット時に使用するロングティとショートティをリールコードで繋いだゴルフ道具に関するものである。
【背景技術】
【０００２】従来ゴルフティには代表的にロングとショート別々のものと、その両方を紐状のもので繋いだもの等大きく分けて２通りある。
【先行技術文献】
【特許文献】
【０００３】
【特許文献１】
【発明の概要】
【発明が解決しようとする課題】
【０００４】３課題有、先ず１課題、ゴルフティのロングとショート別々での使用する場合ショット後にその反動でティそのものが飛び散り失う事が多い。
又失くしたティがゴミになり環境に良くない。
２課題、一方ロングティとショートティを繋いだ紐状のものは既にあるので失う事が少ないが、その繋いでいる紐が絡まり、いざ使用する時に不便。
３課題、又ゴルフティその物の先が尖っている為、携帯するポケットの中で引掛り、」取り出しに面倒です。
本発明は以上の問題点を解決するものである。
【課題を解決する為の手段】
【０００５】リール式の小型リールコードの両端に各々ロングティとショートティを繋ぎそのリールコードは両端左右に引っ張ると段階的に止まり、最終まで引くと中央部分に巻きつけられ戻る。
リールコードにベルトループに装着できるフックを設けている。
【発明の効果】
【０００６】１効果、ショット後リールコードの重みでゴルフティを失わう事は粗ない。
２効果、リール中央部分に収納されるので絡む事は無い。
３効果、ベルトループに引掛けて携帯する為、ポケットに入れる不必要。
【図面の簡単な説明】
【０００７】
【図１】リール内部の仕組み
【図２】リール式ゴルフティの断面図
【図３】リール式ゴルフティの完成画
【発明を実施するための形態】
【０００８】以下、本発明の実施の形態を説明する。
（イ）リール本体（１）リール中心部スプリングが（２）コード巻付けリールの中心部に収納（３）スプリング止めで固定（４）コードの中心部を（５）コード固定器具に取り付け（４）コード両端を逆に巻いて（６）本体カバーを両サイド固定して（４）コードの両端をそれぞれ左右に出しセットする。
（ロ）ティの接続（７）ロングティの（８）ロングティ接続穴に（４）コード（上記で出したコードの端片方）を接続する。（９）ショートティ（１０）ショートティ接続穴も同様。
（ハ）フックの接続（６）の本体カバーに（１２）フック接続穴に（１１）フックを取り付ける。
本発明は以上のような構造である。
本発明を使用する時は、（４）コード先端に各々接続された（７）ロングティと（９）ショートティを両サイド左右に引き（１４）（最後まで引くと巻き戻るので途中で止める）ゴルフショット後再度上記のように左右最後まで引き、（１３）収納時の形に戻す。
次回ホールまでの携帯は（１１）フックをズボンのベルトループに引っ掛け移動する。
【符号の説明】
【０００９】１．リール中心部スプング、２．コード巻付けリール、３．スプリング止め
４．コード、５．コード固定器具、６．本体カバー、７．ロングティ、８．ロングティ接続穴
９．ショートティ、１０．ショートティ接続穴、１１．フック、１２．フック接続穴
１３．完成画像（収納時）、１４．完成図（使用時＝引き伸ばした形）
【図１】
2018047209.tif 000003
【図２】
2018047209.tif 000004
【図３】
2018047209.tif 000005
(57)【要約】【課題】殆どの家庭では風呂から出る際、使用済みの洗面器は湯を流すだけで床に置いたままにして有る、そのため風呂掃除などの際に邪魔にならないよう、簡単に防ぐことができる用具を提供する。【解決手段】本体１の中心軸７の上部に吸盤２を設け、本体１の略中央部には中心軸７から左右に突出した引っ掛け部４を設け、本体１の下部にはＵ字状の受け部３を設けた洗面器を壁面に吊り下げる用具。【選択図】図１
2018047202.tif 000002
【特許請求の範囲】
【請求項１】
本体（１）の中心軸（７）の上部に吸盤（２）を設け、本体（１）の略中央部には中心軸（７）から左右に突出した引っ掛け部（４）を設け、本体（１）の下部にはＵ字状の受け部（３）を設けた洗面器を壁面に吊り下げる用具。
【発明の詳細な説明】
【技術分野】
【０００１】  本発明は、洗面器を浴室の壁面などに吊り下げる用具である。
【背景技術】
【０００２】  従来、浴室から出る際には、使用した洗面器は殆どが空にして浴室床に置いたままにしてある。吊るして収納できる洗面器は（特許文献１）が知られている。
【先行技術文献】
【特許文献】
【０００３】
【特許文献１】  特開２０１４−１３３０７５号公報
【発明の概要】
【発明が解決しようとする課題】
【０００４】（イ）浴室で使った後の洗面器は殆ど床に置いたままにしてある。
（ロ）特許文献１の場合、買ったばかりの洗面器でも穴を開けなければならない。
本発明は以上の問題点を解決するためになされたものである。
【課題を解決するための手段】
【０００５】  上部に吸盤を持たせた細い板状で、下側先端部を内側へ向けてカギ状に曲げ、左右に伸びた細い枝状の部分を途中に持たせたことを特徴としたもので、上部吸盤にて浴室壁面タイル等に取り付け、下に垂らした下部先端のカギ部分に洗面器上部の外側に曲げたふちの溝部分に掛ける事で洗面器をタイルの壁面部に吊り下げることができる。
尚、途中の左右に取り付けた枝状部分には歯ブラシを下げて置くことができる。
以上の特徴から成る洗面器を壁面に吊り下げる用具。
【発明の効果】
【０００６】洗面器を浴室側面に吊り下げることにより浴室内を広く使用することができる。
【図面の簡単な説明】
【０００７】
【図１】本発明の斜視図。
【図２】本発明の下部に洗面器を掛けた状態部分の斜視図。
【図３】本発明の枝部に歯ブラシを掛けた状態図。
【図４】本発明に洗面器及び歯ブラシを収めた状態図。
【発明を実施するための形態】
【０００８】以下、本発明の実施の形態について説明する。
（イ）図１に示すように、本体（１）の中心軸（７）の上部に吸盤（２）を設ける。
（ロ）本体（１）の略中央部には中心軸（７）から左右に突出した引っ掛け部（４）          を設け、歯ブラシ（６）等が吊るすように出来る。
（ハ）本体（１）の下部にはＵ字状の受け部（３）を設け、その先端の受け部（３）          に洗面器（５）等を引っ掛け、吊り下げられるように設ける。
本発明は以上のような構造である。
本発明を使用するときは、図３に示すように、本体（１）の上部に取り付けてあ        る吸盤（２）で浴室の壁等に本体（１）を固定する。次に、本体（１）の略中央        部には中心部（７）から左右に突出した引っ掛け部（４）に歯ブラシ（６）が掛        けられる。
図４に示すように、本体（１）の下部にはＵ字状の受け部（３）に洗面器（５        ）等を吊り下げることにより、使用しなくなった洗面器（５）等が収納されるの        で、浴室の床に物が無くなるので、床スペースが有効に活用できる。一例として        歯ブラシや洗面器の事例を示したが、必要なものを自由に吊るすことが出来るの        で、便利である。
【符号の説明】
【０００９】１  本体、２  吸盤、３  Ｕ字状の受け部、４  引っ掛け部、５  洗面器、６  歯ブラシ７  中心軸
【図１】
2018047202.tif 000003
【図２】
2018047202.tif 000004
【図３】
2018047202.tif 000005
【図４】
2018047202.tif 000006
(57)【要約】【課題】  従来のゴルフ競技は礼儀正しく品格ある健康的な競技ではあるが、今一つ滑稽さ娯楽的要素を加味した面白さと、更なる高度技術を要するプレーが求められている。【解決手段】  従来の真円球形状のゴルフボールの形状を楕円球形状のボールにした為、プレー時ボールの動きに異常性・複雑さ等が発生し、滑稽さ・面白さが加味されると共に、楕円球用のルールを作り、未来志向型ゴルフを提供することが出来て愛好者が一層増加する事となった。【選択図】図１
2018047323.tif 000002
【特許請求の範囲】
【請求項１】
ゴルフ競技に用いるボールの形状を、楕円球形状にしたことを特徴とする、楕円球形状のゴルフボール。
【請求項２】
ボール表皮部を目立つ色の黄色・ピンク色等で楕円形状の模様付けを施したことを特徴とする、請求項１記載の、楕円球形状のゴルフボール。
【発明の詳細な説明】
【技術分野】
【０００１】  本発明は、従来よりのゴルフ競技に用いるゴルフボールに関する。
【背景技術】
【０００２】  従来の、ゴルフ競技に用いられるゴルフボールは全て真円球形状で表皮部には諸パターンのディンプルが多数施されているのが一般的である。【０００３】  また、ゴルフ競技は全世界のアマチュア（以後・アマ）からプロフェショナル（以後・プロ）の競技まで広範囲に好評な品格ある健康的な競技で、年々諸用具からフェヤウェイ等々進歩・高級化し特にプロ等のプレー技術の向上振りは目を見張る上達振りである。
【発明の概要】
【発明が解決しようとする課題】
【０００４】  ゴルフ競技は礼儀正しい球技ではあるが、一方今一つ滑稽な娯楽的要素を加味したルール・球戯プレーのふざけた面白さと、逆に高度技術をも要求される。【０００５】  プロは、より高度な技術が求められるのは勿論であるが、特にアマに於いてはプレーの勝負に加えて、楽しさ・面白さをプラスする事によりゴルフ愛好者が一層増加することを目的とするものである。【０００６】
【課題を解決するための手段】
【０００７】  従来のゴルフ競技に用いるボールは近ピンポン玉大（卓球用の玉）の真円球形状であるが、本発明のゴルフボールは全体形状を楕円球形状のボール（エリプスボール）にしたものである。【０００８】  楕円球形状のボールは従来の真円球形状のボールと全体的には材質・重量・表皮部のディンプル等は略同様で一見楕円球形状に気付かない事がある為、表皮部に黄色・ピンク色等目立つ色で、楕円形状の模様付けを施し、従来ボールと識別容易にした。
【発明の効果】
【０００９】  従来の真円球形状のゴルフボールを楕円球形状のゴルフボールにしたことで、クラブでの打ち方・ボールの飛び方・転がり方等々従来の真円球形状ゴルフボールとは異なり、プレー時ボールの動きは異色の異常性・難易度が複雑化し、競技は勿論であるが滑稽さが加味され娯楽的球戯が加わった。【００１０】  また、従来のゴルフルールに加えて、ティーショット時のクラブでボールに当てる方向を楕円ボールの横方向か縦方向か・パター時のみボールの向きを変えてもよい等々、ポイント制にする等、新規な楕円ボール用のルール（エリプスルール）を作ったことで、より興味深く面白い球戯となった。【００１１】  楕円球形状のゴルフボールでの競技に於いては、従来の真円球形状のゴルフボールの競技と極端な差異はなく適度な異常性・むづかしさ・滑稽さが生じ、従来ゴルフ競技のプロ・アマ共に特別な違和感なく娯楽的球戯としてプレーする事ができる未来志向型ゴルフとして愛好者が一段と増加して来た。
【図面の簡単な説明】
【００１２】
【図１】（イ）・本発明の楕円球形状のゴルフボールの正面図。（ロ）・図１（イ）のＡーＡ断面図。
【図２】従来の真円球形状のゴルフボールの正面図。
【発明を実施するための形態】
【００１３】  本発明の実施の形態について図面を参照して説明する。
【００１４】  図に於いて、従来の真円球形状のゴルフボールと同様の表皮部に施されている多数のディンプルの図示は省略した。
【００１５】  図１（イ）は本発明の楕円球形状のゴルフボール１の正面図で表皮部に楕円形状の模様２を施した例の図である。（上述通り表皮部のディンプルの図示は省略）
【００１６】  図１（ロ）は、図１（イ）のＡーＡ断面図で、ボール横中央円直径３・ボール縦中央円直径４を図示した。
【００１７】  図２は、従来の真円球形状のゴルフボール５の正面図である。（上述した通り表皮部のディンプルの図示は省略）
【００１８】  本発明の、楕円球形状のゴルフボール１は、従来の真円球形状のゴルフボール５と比較して、外形寸法がボール横中央円直径３は、マイナス２ｍｍ、ボール縦中央円直径４は、プラス４ｍｍ、の楕円球形状にした楕円球形状のゴルフボール１である。
【００１９】  また、外周表皮部のディンプル及びボール中心部・表皮部等の材質・全体重量は共に略同じにした。
【００２０】  また、一層の滑稽さ・複雑さ等の動きを発生させる為や面白さの球戯とする為にボール横中央円直径３を、３〜４ｍｍマイナス・ボール縦中央円直径４を、６〜７ｍｍ程度のプラスとした組み合わせ寸法の楕円球形状のボールにしてもよい。
【符号の説明】
【００２１】      １・・・楕円球形状のゴルフボール。
２・・・楕円形状の模様（一例）。
３・・・ボール横中央円直径。
４・・・ボール縦中央円直径。
５・・・従来の真円球形状のゴルフボール。
【図１】
2018047323.tif 000003
【図２】
2018047323.tif 000004
(57)【要約】      （修正有）【課題】用紙の無駄を省き安価に作成する事ができる暦を提供する。【解決手段】奇数月のみを用紙の裏表に印刷し他方は偶数月のみを用紙の裏表に印刷し双方を合わせて一年間の暦を構成する。【選択図】図１
2018047677.tif 000002
【特許請求の範囲】
【請求項１】
奇数月のみを用紙の裏表に記した暦と偶数月のみを用紙の裏表に記した暦を組み合わせて年間の暦を構成したもの。
【発明の詳細な説明】
【技術分野】  本発明は暦に係るもので非常に安価な費用で暦が構成できる上に来月の暦を常に表示できる特長を有するものである。
【背景の技術】
従来暦は用紙が多く必要で高価になる欠点を有していたが当発明により暦の用紙が従来使用していた半分で済む
【発明の開示】
当発明は奇数月のみを用紙の裏表に印刷し他方は偶数月のみを用紙の裏表に印刷し双方を合わせて一年間の暦を構成したものである。
【発明が解決しょうとする課題】
非常に安価な費用で一年の暦の構成を可能にすると同時に来月の暦の表示が同時に可能にする事である。
【発明の効果】
非常に安価特に大型カレンダーに有効で自由に並べ替えて先々月の連続表示も可能であるので立案計画に非常に有利
【発明を実施する最良の形態】
寸法をあまり大きくせず又あまり小さくせず目的に合わせた最適の大きさに出来る。
【産業上の利用の可能性】
本発明は非常に安価でしかも効果的な暦が出来るので色々の宣伝用の暦とする事ができる。
【実施例】  本発明の一実施例を図示する。
【図面の簡単な説明】
【図１】は奇数月の一月を表面に記し裏面に奇数月の三月を記したもの
【図２】は奇数月の五月を表面に記し七月の奇数月を裏面に記したもの
【図３】は奇数月の九月を表面に記し十一月の奇数月を裏面に記したもの
【図４】は偶数月の二月を表面に裏面に偶数月の四月を記したもの
【図５】は偶数月の六月を表面に裏面に偶数月の八月を記したもの
【図６】は偶数月の十月を表面に偶数月の十二月を裏面に記したもの
【図１】
2018047677.tif 000003
【図２】
2018047677.tif 000004
【図３】
2018047677.tif 000005
【図４】
2018047677.tif 000006
【図５】
2018047677.tif 000007
【図６】
2018047677.tif 000008
(57)【要約】【課題】  毛髪を寝具や身体との摩擦から保護し、かつ毛髪同士の絡まりを防ぐ事に有効な発明が今まで存在していなかった。現在、シルクやサテンといった滑らかな手触りの布地で作られた帽子型の物品を毛髪の保護用品として使用しているが、それは本来頭部の防寒やシラミ被害防止のために作られた形状であり、毛髪同士の摩擦や絡まりを防ぐことに最適ではなく、また長時間着用した際に毛髪に癖がつくなどの問題点があった。【解決手段】  頭皮の皮脂が届きにくく、摩擦によりダメージが深刻となりやすい毛先を保護するために、髪を束ねた周囲３６０°を滑らかな繊維の布地で包み保護する。これにより髪が寝具や身体などに触れる表面積を減らし、毛髪が摩擦によって受けるダメージを軽減する。髪に接触し固定する部分は個々人の毛束の太さに合った円筒状に調節できる形状を持ち、毛髪が自由に動く空間を与えず、髪同士が絡まるといった問題を解決することができる。【選択図】図６
2018047197.tif 000002
【特許請求の範囲】
【請求項１】
着用時に束ねた毛髪の外周３６０度を包み毛髪を保護する形状となる、動物繊維、植物繊維，化学繊維等の布地からなる毛髪保護髪飾り
【請求項２】
毛髪に接する面が滑らかな手触りの動物繊維、植物繊維、化学繊維の布地であることを特徴とする請求項１の毛髪保護髪飾り
【請求項３】
毛髪を束ねる髪止め具への固定具が付いた請求項１かつ請求項２の毛髪保護髪飾り
【発明の詳細な説明】
【技術分野】
【０００１】  本発明は、束ねた毛髪等を摩擦や外部刺激から保護する毛髪保護機能をもった髪飾りである。
【背景技術】
【０００２】  現在、寝具や身体との擦れによる毛髪表面へのダメージを軽減するためには、寝具を摩擦の少ない素材によって作られた物に変更する、あるいは髪を結ぶ、編むなどして摩擦が起きうる表面積を減らすなどの工夫が必要とされている。【０００３】  また毛髪へのダメージ軽減効果がある物品として、頭部を全て覆う形状のシルク等による低摩擦性繊維から作られたナイトキャップがある。（図８、図９）【０００４】  吸水性がある布地で作られた、洗髪後の毛髪の乾燥を促すヘアターバン等は多々発明されているが（例えば、特許文献１、特許文献２を参照）、就寝時や長時間横になった場合に毛髪を寝具や身体による摩擦や外部刺激から保護する物品はナイトキャップ以外に存在していない。
【先行技術文献】
【特許文献】
【０００５】
【特許文献１】特開平１０−１０８８０２  公報
【特許文献２】特開平１０−００５０３５  公報
【発明の概要】
【発明が解決しようとする課題】
【０００６】  就寝時の毛髪と寝具の摩擦や髪同士の絡まりを軽減する物品としてナイトキャップが一般的であるが、図８、図９のような従来のナイトキャップは頭部全体を覆いこむ形状が故に、内部に髪が動く空間があるため髪同士の絡まりが起き、毛髪同士の摩擦や絡まりを軽減することに効果的ではない。また、ナイトキャップは着用時に頭囲を押さえつけるので、長時間着用すると圧力により毛髪に跡がつきやすいという問題がある。【０００７】  図８、図９の形状の一般的なナイトキャップは本来、シラミ防止や防寒の為に作られた形状であり、毛髪の同士の絡み、外部刺激による摩擦ダメージを軽減する効果は想定されていない。【０００８】  本発明は、今までにない形状で髪の摩擦によるダメージや、髪同士の絡まりを軽減し、毛髪を保護することを目的とするものである。
【課題を解決するための手段】
【０００９】  本発明は毛髪の摩擦によるダメージを解決するために発明された、全く新しい形状の毛髪保護具である。着用した際の形状は束ねた髪を中心に周囲３６０°を円柱状に保護する。【００１０】  毛髪とは頭皮から遠い毛先部分には頭皮皮脂が到達しづらく、また衣服などによる摩擦によってそのダメージが深刻となりやすいため、ダメージ部分をより効果的に保護する事が必要とされる。なので、毛髪を束ね、その束ねた先を主として保護する形状をとる。
【発明の効果】
【００１１】  本発明はその構造上、従来のナイトキャップと比較し内部で髪が動きにくいため、毛髪同士の絡まりを予防することができ、寝返りにより生じる起床後の髪のもつれ、絡まりに対して有効な解決手段となる。【００１２】  また、柔軟性に富んだ滑らかな手触りの動物繊維、植物繊維または化学繊維により作られた本発明を着用した場合、本発明と毛髪間の摩擦は寝具や身体との摩擦より軽く、摩擦によるキューティクルの剥がれといったダメージから毛髪を保護することに有効である。
【図面の簡単な説明】
【００１３】
【図１】本発明の実施例１の正面図
【図２】図１の断面図
【図３】本発明の実施例２の正面図
【図４】本発明の実施例３の正面図
【図５】図４の断面図
【図６】本発明の実施例１の着用図
【図７】本発明の実施例１の着用図であり、毛髪を頭部左右で結んだ事例着用図
【図８】従来のナイトキャップ例１
【図９】従来のナイトキャップ例２
【発明を実施するための形態】
【００１４】  以下、本発明の実施の形態を図１〜図９に基づいて説明する。
【符号の説明】  Ａ  髪留め具本体
Ｂ  髪保護部本体
Ｃ  開口部
１  紐状弾性体
２  外周被覆体
３  止め具
４  髪止め具本体への固定部
【図１】
2018047197.tif 000003
【図２】
2018047197.tif 000004
【図３】
2018047197.tif 000005
【図４】
2018047197.tif 000006
【図５】
2018047197.tif 000007
【図６】
2018047197.tif 000008
【図７】
2018047197.tif 000009
【図８】
2018047197.tif 000010
【図９】
2018047197.tif 000011